(57)【特許請求の範囲】
【請求項１】
パチンコ機の遊技盤１に形成された開口部に合わせて装着されて制御装置の指令制御に基づいて図柄変動表示し得る図柄表示装置において、
前記図柄表示装置は、
前記遊技盤１の遊技盤面１ａに取着されるベースフレーム２と、前向きに膨出するほぼ中空半球形状に成形されて前記ベースフレーム２中央に開口された窓口前側に合わせて取着されたカバ一体８と、このカバ一体８の半球形状部分の背面内前側に組込まれて傾斜回転軸中心で回転し得る図柄表示用の第１回転体１０と、該第１回転体１０の後方隣接位置で前記カバ一体８の半球形状部分の背面内に組込まれて前記第１回転体１０と同心回転し得る図柄表示用の第２回転体１５と、前記制御装置により制御される１基の同軸モータ３Ａを駆動源として前記第１回転体１０と前記第２回転体１５とを個々に駆動制御する回転伝達機構と、前記カバー体８の中央内部に設置されて前記制御指令により電気的に変動表示制御される図柄表示器１２とを備えており、
前記カバ一体８は、半球形状部分の縦中央部の上方から中心部に亘る部位に、前記第１回転体１０と前記第２回転体１５との上下２列分の図柄の変移・停止表示状態を前側から透視し得る上表示窓８ａと、前記図柄表示器１２の図柄の変動・停止表示状態を前側から透視し得る下表示窓８ｂとが形成され、
前記第１回転体１０は、前記遊技盤１の垂立面に対して前下向き傾斜に設定された前記回転軸ａを中心として回転可能に支持されて前記回転伝達機構により回転・位置決め停止制御されるとともに、該第１回転体１０の前側外周部に、前記カバ一体８の半球形状部分の背面内に沿って回転変移し得る球曲形状の第１図柄表示面１１が形成され、この第１図柄表示面１１の外周円方向に、前記カバ一体８の上表示窓８ａの下面域を変移・停止表示し得る複数個１周列分の図柄１１ａが配置されており、
前記第２回転体１５は、前記回転軸ａを中心として回転可能に支持されて前記回転伝達機構により回転・位置決め停止制御されるとともに、該第２回転体１５の外周部に、前記カバ一体８の半球形状部分の背面内に沿って回転変移し得る球曲形状の第２図柄表示面１６が形成され、この第２図柄表示面１６の外周円方向に、前記カバ一体８の上表示窓８ａの上面域を変移・停止表示し得る複数個１周列分の図柄１６ａが配置されており、
前記回転伝達機構は、前記第２回転体１５の後方に設置した前記同軸モータ３Ａに、前記回転軸ａに対して回転中心が整合された第１駆動軸４Ａを駆動する第１駆動部６と、前記第１駆動軸４Ａの外周に同心嵌挿された第２駆動軸５Ａを駆動する第２駆動部７とが前後に設置されて、前記第１駆動軸４Ａの前端が前記第２回転体１５の中心部を挿通して前記第１回転体１０の基端部中心に連結される一方、前記第２駆動軸５Ａの前端が前記第２回転体１５の基端部中心に連結されて、前記第１駆動部６と第２駆動部７の個々の駆動制御に従い前記第１回転体１０と前記第２回転体１５を互いに同心回転するように設定されるとともに、前記同軸モータ３Ａにおける第１駆動軸４Ａの後端に、前記第１回転体１０の特定部位の回転位置を教示するための第１教示部材２１Ａが結合され、前記同軸モータ３Ａにおける第２駆動軸５Ａの後端に、前記第２回転体１５の特定部位の回転位置を教示するための第２教示部材２３Ａが結合され、前記第１教示部材２１Ａと第２教示部材２３Ａとに対して前記各特定部位の回転位置を検出するための第１定位置センサ２０Ａと第２定位置センサ２２Ａとが配設されており、
前記図柄表示器１２は、前記カバ一体８の下表示窓８ｂの背面内に垂立状態で設置されて電気的な制御表示に従って複数の図柄１２ａを１コマ分ずつ点灯・変動表示し得るように設定されており、
前記カバ一体８の上表示窓８ａと下表示窓８ｂにより、前記第２回転体１５の図柄１６ａと、前記第１回転体１０の図柄１１ａと、前記図柄表示器１２の図柄１２ａとが、正面縦線上の上中下位置に整一状態で停止表示されて透視し得るように設定したことを特徴とするパチンコ機の図柄表示装置。
【発明の詳細な説明】
【０００１】
【産業上の利用分野】
この発明はパチンコ機における図柄表示装置に関するもので、詳しくは機械的な図柄変動表示体を含む図柄表示装置の回転伝達機構に関する。
【０００２】
【従来の技術】
複数の図柄表示用の回転体を有し、機械的手段によって複数の図柄を変動表示する従来の図柄表示装置では各回転体は複数のモータの各出力軸に個々に結合された状態で複数のモータによって回転体毎に個別に回転駆動される。
【０００３】
【発明が解決しようとする課題】
本発明は複数の機械的な図柄表示用の回転体を回転駆動する回転体駆動機構が占めるスペースを縮小することを課題とするものである。
【０００４】
【課題を解決するための手段】
請求項１の発明は、パチンコ機の遊技盤に形成された開口部に合わせて装着されて制御装置の指令制御に基づいて図柄変動表示し得る図柄表示装置において、
前記図柄表示装置は、
前記遊技盤の遊技盤面に取着されるベースフレームと、前向きに膨出するほぼ中空半球形状に成形されて前記ベースフレーム中央に開口された窓口前側に合わせて取着されたカバ一体と、このカバ一体の半球形状部分の背面内前側に組込まれて傾斜回転軸中心で回転し得る図柄表示用の第１回転体と、該第１回転体の後方隣接位置で前記カバ一体の半球形状部分の背面内に組込まれて前記第１回転体と同心回転し得る図柄表示用の第２回転体と、前記制御装置により制御される１基の同軸モータを駆動源として前記第１回転体と前記第２回転体とを個々に駆動制御する回転伝達機構と、前記カバー体の中央内部に設置されて前記制御指令により電気的に変動表示制御される図柄表示器とを備えており、
前記カバ一体は、半球形状部分の縦中央部の上方から中心部に亘る部位に、前記第１回転体と前記第２回転体との上下２列分の図柄の変移・停止表示状態を前側から透視し得る上表示窓と、前記図柄表示器の図柄の変動・停止表示状態を前側から透視し得る下表示窓とが形成され、
前記第１回転体は、前記遊技盤の垂立面に対して前下向き傾斜に設定された前記回転軸を中心として回転可能に支持されて前記回転伝達機構により回転・位置決め停止制御されるとともに、該第１回転体の前側外周部に、前記カバ一体の半球形状部分の背面内に沿って回転変移し得る球曲形状の第１図柄表示面が形成され、この第１図柄表示面の外周円方向に、前記カバ一体の上表示窓の下面域を変移・停止表示し得る複数個１周列分の図柄が配置されており、
前記第２回転体は、前記回転軸を中心として回転可能に支持されて前記回転伝達機構により回転・位置決め停止制御されるとともに、該第２回転体の外周部に、前記カバ一体の半球形状部分の背面内に沿って回転変移し得る球曲形状の第２図柄表示面が形成され、この第２図柄表示面の外周円方向に、前記カバ一体の上表示窓の上面域を変移・停止表示し得る複数個１周列分の図柄が配置されており、
前記回転伝達機構は、前記第２回転体の後方に設置した前記同軸モータに、前記回転軸に対して回転中心が整合された第１駆動軸を駆動する第１駆動部と、前記第１駆動軸の外周に同心嵌挿された第２駆動軸を駆動する第２駆動部とが前後に設置されて、前記第１駆動軸の前端が前記第２回転体の中心部を挿通して前記第１回転体の基端部中心に連結される一方、前記第２駆動軸の前端が前記第２回転体の基端部中心に連結されて、前記第１駆動部と第２駆動部の個々の駆動制御に従い前記第１回転体と前記第２回転体を互いに同心回転するように設定されるとともに、前記同軸モータにおける第１駆動軸の後端に、前記第１回転体の特定部位の回転位置を教示するための第１教示部材が結合され、前記同軸モータにおける第２駆動軸の後端に、前記第２回転体の特定部位の回転位置を教示するための第２教示部材が結合され、前記第１教示部材と第２教示部材とに対して前記各特定部位の回転位置を検出するための第１定位置センサと第２定位置センサとが配設されており、
前記図柄表示器は、前記カバ一体の下表示窓の背面内に垂立状態で設置されて電気的な制御表示に従って複数の図柄を１コマ分ずつ点灯・変動表示し得るように設定されており、
前記カバ一体の上表示窓と下表示窓により、前記第２回転体の図柄と、前記第１回転体の図柄と、前記図柄表示器の図柄とが、正面縦線上の上中下位置に整一状態で停止表示されて透視し得るように設定した構成を有する。
【０００５】
すなわち、請求項１の発明は、その特徴の１つとして機械的な図柄表示体である前記第１回転体および前記第２回転体が個々に結合される複数の駆動軸と、この各駆動軸を個々に回転させる複数の軸駆動部とを有する同軸モータを設けた構成の回転伝達機構を有する。
【０００６】
また、請求項１の発明は、前記同軸モータの各駆動軸の反回転体側の端部にそれぞれ形成された各延長部（後端）に、前記第１回転体および前記第２回転体の特定部位の回転位置を前記第１定位置センサおよび第２定位置センサに教示する教示部材をそれぞれ結合した構成を有する。
【０００７】
【作用】
請求項１の発明では、同軸状態で設置された第１回転体および第２回転体への回転伝達が中空軸状の駆動軸を含んだ状態で同心状に設置された第１駆動軸および第２駆動軸によって行われる。
【０００８】
また、請求項１の発明では、第１回転体および第２回転体への回転伝達が１基の同軸モータの各駆動軸によって行われる。
【０００９】
さらに、請求項１の発明では、同軸モータの前記各延長部に第１回転体および第２回転体の特定部位の回転位置を第１定位置センサおよび第２定位置センサに教示する教示部材をそれぞれ結合するため、各回転体の特定部位の回転位置の検出が、各駆動軸の各延長部にそれぞれ結合されて各回転体から離れた位置に配設された各教示部材と各センサとによって行われ、各センサに結線された各リード線が各回転体から離れた位置で配線される。
【００１０】
【発明の効果】
請求項１の発明によれば、第１回転体および第２回転体を個別に回転駆動する第１駆動軸および第２駆動軸を、中空軸状の一方の駆動軸の中心部に他方の駆動軸を挿通することで制限されたスペース内に集中的に配置することができ、各回転体への回転伝達機構をコンパクト化してこの回転伝達機構が占めるスペースを縮小することができる。
【００１１】
また、請求項１の発明によれば、第１回転体および第２回転体を１基の同軸モータの各駆動軸に直結状に結合した状態で各回転体を１つの駆動源によって個別に回転駆動することができ、回転伝達機構が占めるスペースを大幅に縮小することが可能となる。
【００１２】
さらに、請求項１の発明によれば、各教示部材および各センサが第１回転体および第２回転体から離れた位置に集中的に配置されるので、各センサに接続されたリード線の配線処理を簡易化することができ、また、回転体の回転動作によるリード線の損傷や断線を無くすことができる。
【００１３】
【実施例】
次に、本発明の第１実施例を図１〜図３にしたがって説明する。パチンコ機の遊技盤１に加工形成された開口部に合わせて装着された図柄表示装置において、周縁部が遊技盤面１ａにねじ止めされて開口部内に収容状態で位置されるほぼ方形枠状のベースフレーム２の中央部には前方へ突出した状態でベースフレーム２に開口された窓口をカバーするほぼ中空半球状のカバー板８の周縁部が結合されている。
【００１４】
カバー板８の上部の半球形状部の縦中央上部、つまり上下縦方向の中央上部には内部の透視が可能な上表示窓８ａが球面に沿って形成され、カバー板８の中央下部には上表示窓８ａの下方に隣設されて内部の透視が可能な下表示窓８ｂが垂直状に形成されている。
【００１５】
カバー板８の下表示窓８ｂの背後内にはカバー体８に固定されたＬＥＤ基板１９が設置され、このＬＥＤ基板１９には下表示窓８ｂの背面に臨んで複数個１組の図柄１２ａを点灯および変動表示する図柄表示ＬＥＤによる図柄表示器１２が接続されている。
【００１６】
ベースフレーム２に結合されたブラケット１８にはカバー板８の後方に設置されて制御装置の指令によって回転・位置決め停止制御される１基の同軸モータ（同軸ステッピングモータ）３が回転伝達機構の駆動源として取付けられている。
【００１７】
同軸モータ３は、遊技盤面１ａの垂立面に対して前下り状に傾斜して交差する回転軸ａ（図１，図４参照）に整合された回転軸心を有し、同軸モータ３の本体部３ａの中心部に挿通された丸棒状の第１駆動軸４と、この第１駆動軸４が中心部に挿通された状態で第１駆動軸４と同心状に設置された中空軸状の第２駆動軸５とを備え、第１，第２の駆動軸４，５が回転軸ａに整合されている（図３参照）。
【００１８】
同軸モータ３の本体部３ａにはマグネット６ａを有し、通電によって第１駆動軸４を回転させる第１軸駆動部６と、マグネット７ａを有し、通電によって第２駆動軸５を回転させる第２軸駆動部７とが軸方向の前後に隣接状態で配置されている。
【００１９】
同軸モータ３の第１駆動軸４の前端に固定された円板状の前結合部材９には段付き円筒状の胴壁部１０ａと、この胴壁部１０ａの前端縁に連接されて球面状に湾曲した表示部１０ｂとを有し、両駆動軸４，５の軸心の傾斜と整一された前下り状傾斜の回転軸ａを中心として回転する機械的な図柄表示体としての第１回転体１０の基端部がねじ２４によって結合されている。
【００２０】
第１回転体１０の胴壁部１０ａから外方に連接する外周部には球面を輪切りにした前向き凸球曲面形状を有する第１図柄表示面１１が形成されている。
【００２１】
第１図柄表示面１１の球曲面外周方向には回転軸ａの回りに配列された１組、つまり複数個１周列分の図柄１１ａがそれぞれ球面状に湾曲した形状で列記され、第１回転体１０が回転後停止すると、これらの図柄１１ａのうち１コマ分の図柄が上表示窓８ａの下部を透して表示される。
【００２２】
同軸モータ３の第２駆動軸５の前端に固定された円板状の後結合部材１３には段付き円盤状の胴壁部１５ａと、この胴壁部１５ａの前端縁に連接されて球面状に湾曲した表示部１５ｂとを有し、第１回転体１０と同心状態で設置されて回転軸ａを中心として回転する第２回転体１５の基端部がねじ２５によって結合されている。
【００２３】
第２回転体１５の外周部には球面を輪切りにした前向き凸球曲面形状を有し、第１図柄表示面１１と相似形で大きさが第１図柄表示面１１の大きさより拡大され、第１図柄表示面１１の後側に第１図柄表示面１１と無段状に連続した状態で設置された第２図柄表示面１６が形成されている。
【００２４】
第２図柄表示面１６の球曲面外周方向には回転軸ａの回りに配列された１組、つまり複数個１周列分の図柄１６ａがそれぞれ球面状に湾曲した形状で列記され、第２回転体１５が回転後停止すると、これらの図柄１６ａのうち１コマ分の図柄が上表示窓８ａの上部を透して表示される。
【００２５】
同軸モータ３への両回転体１０，１５の取付けに際し、後結合部材１３を同軸モータ３の第２駆動軸５の前端に後結合部材１３をねじ止め結合し、第２駆動軸５前端から延出した第１駆動軸４の前端に前結合部材９をねじ止め結合したもとで、第２回転体１５の基端部をねじ２５によって後結合部材１３に結合し、第１回転体１０の基端部をねじ２４によって前結合部材９に結合する。なお、第１駆動軸４はその前端が第２回転体１５の基端部中心を嵌挿している（図１，図３参照）。
【００２６】
第１回転体１０の胴壁部１０ａの内部には第１回転体１０の特定部位の回転位置、すなわち、具体例として第１図柄表示面１１の１組の図柄１１ａのうちの特定図柄の回転位置を検出する第１定位置センサ２０が設置され、この第１定位置センサ２０にはリード線３２が結線されている。
【００２７】
第１回転体１０の胴壁部１０ａの内壁面には第１回転体１０の特定部位の回転位置、すなわち、第１図柄表示面１１の１組の図柄１１ａのうちの特定図柄の回転位置を第１定位置センサ２０に教示する第１教示部材２１が結合されている。
【００２８】
第１定位置センサ２０は第１図柄表示面１１の特定図柄が上表示窓８ａに対向する位置へ回転変位したときに第１教示部材２１の被検出片２１ａが第１定位置センサ２０の検出溝２０ａ内に進入するように配設されている。
【００２９】
第２回転体１５の表示部１５ｂの内部には第２回転体１５の特定部位の回転位置、すなわち、具体例として第２図柄表示面１６の１組の図柄１６ａのうちの１つの特定図柄の回転位置を検出する第２定位置センサ２２が設置され、この第２定位置センサ２２にはリード線３３が結線されている。
【００３０】
第２回転体１５の胴壁部１５ａの外壁面には第２回転体１５の特定部位の回転位置、すなわち、第２図柄表示面１６の１組の図柄１６ａのうちの特定図柄の回転位置を第２定位置センサ２２に教示する第２教示部材２３が結合されている。
【００３１】
第２定位置センサ２２は第２図柄表示面１６の特定図柄が上表示窓８ａに対向する位置へ回転変位したときに第２教示部材２３の被検出片２３ａが第２定位置センサ２２の検出溝２２ａ内に進入するように配設されている。
【００３２】
続いて、上記した構成を有する実施例の作用と効果を説明する。本例では、第１駆動軸４と、この第１駆動軸４が中心部に挿通された中空軸状の第２駆動軸５とを有する１基の同軸モータ３を設け、第１駆動軸４には同軸状態で設置された第１，第２回転体１０，１５のうちの第１回転体１０を前結合部材９を介して結合し、第２駆動軸５には第２回転体１５を後結合部材１３を介して結合してある。
【００３３】
このため、第１，第２回転体１０，１５を個別に回転駆動する第１，第２駆動軸４，５を、中空軸状の第２駆動軸５の中心部に第１駆動軸４を挿通した状態で制限されたスペース内に集中的に配置することができ、各回転体１０，１５への回転伝達機構をコンパクト化してこの回転伝達機構が占めるスペースを縮小することができる。
【００３４】
また、各回転体１０，１５を同軸モータ３の各駆動軸４，５に直結状に結合した状態で各回転体１０，１５を１つの駆動源である同軸モータ３内の各駆動部６，７によって個別に回転駆動することができ、回転伝達機構が占めるスペースを大幅に縮小することが可能となる。
【００３５】
次に、図４に示す本発明の第２実施例について説明すると、本例の回転伝達機構では、同軸モータ３Ａの本体部３ａＡの後側にはリード線３２Ａが結線された第１定位置センサ２０Ａと、この第１定位置センサ２０Ａの下方に配設されてリード線３３Ａが結線された第２定位置センサ２２Ａとが設置されている。
【００３６】
同軸モータ３Ａの第１駆動軸４Ａの後端には本体部３ａＡから軸方向の反回転体側へ延出されて本体部３ａＡの後側に設置された第１延長部３０が形成されている。
【００３７】
同軸モータ３Ａの第２駆動軸５Ａの後端には本体部３ａＡから軸方向の反回転体側へ延出されて第１駆動軸４Ａの第１延長部３０が中心部に挿通され、本体部３ａＡの後側に設置された第２延長部３１が形成されている。
【００３８】
第１駆動軸４Ａの第１延長部３０には第１駆動軸４Ａの前端に結合された第１回転体１０の特定部位の回転位置を第１定位置センサ２０Ａに教示するほぼ円板状の第１教示部材２１Ａが結合され、この第１教示部材２１Ａにはその周縁部に貫設された被検出部２１ａＡが形成されている。
【００３９】
第２駆動軸５Ａの第２延長部３１には第２駆動軸５Ａの前端に結合された第２回転体１５の特定部位の回転位置を第２定位置センサ２２Ａに教示するほぼ円板状の第２教示部材２３Ａが結合され、この第２教示部材２３Ａにはその周縁部に貫設された被検出部２３ａＡが形成されている。
【００４０】
第２実施例によれば、回転伝達機構内に組込まれた回転位置検出部における各教示部材２１Ａ，２３Ａおよび各定位置センサ２０Ａ，２２Ａが各回転体１０，１５から離れた位置に集中的に配置されるので、リード線３２Ａ，３３Ａの配線処理を簡易化することができ、回転体１０，１５の回転動作によるリード線３２Ａ，３３Ａの損傷や断線を無くすことができる。
【図面の簡単な説明】
【図１】本発明の第１実施例を示す図柄表示装置の側断面図である。
【図２】同じく、正面図である。
【図３】同軸モータの半側断面図である。
【図４】本発明の第２実施例を示す図柄表示装置の側断面図である。
【符号の説明】
３，３Ａ  同軸モータ
４，４Ａ  第１駆動軸
５，５Ａ  第２駆動軸
１０  第１回転体
１５  第２回転体
２０，２０Ａ  定位置センサ（第１定位置センサ）
２２，２２Ａ  定位置センサ（第２定位置センサ）
２１，２１Ａ  教示部材（第１教示部材）
２３，２３Ａ  教示部材（第２教示部材）
【図１】
0003987972.tif 000002
【図２】
0003987972.tif 000003
【図３】
0003987972.tif 000004
【図４】
0003987972.tif 000005